(57)【特許請求の範囲】
【請求項１】
回動中心軸線回りに往復回動可能に設けられた回動部材と、
該回動部材に駆動力を伝達して、該回動部材を前記回動中心軸線回りに往復回動せしめる駆動力伝達機構と、
前記回動部材の前記回動中心軸線と平行であって、且つ、該回動部材の回動中心軸線上に中心がある円周上に設けられた複数の支軸のそれぞれにおいて該支軸の軸方向に重なる状態で該支軸回りで揺動可能に組み付けられている複数の第一および第二の羽根部材と、
該第一の羽根部材及び前記回動部材の何れか一方に設けられた係合溝と、該第一の羽根部材及び該回動部材の何れか他方に設けられた係合突起とを含んで構成されており、該回動部材が前記駆動力伝達機構によって前記回動中心軸線回りに回動せしめられる際に、該係合突起を該係合溝に係合せしめることにより、該回動部材の回動に連動して複数の該第一の羽根部材が同じ方向に揺動せしめられるようにした羽根部材一斉駆動機構と、
該第一の羽根部材と該第二の羽根部材の何れか一方に設けられたガイド突起と、該第一の羽根部材と該第二の羽根部材の何れか他方に設けられたガイド穴とを含んで構成されて、複数の該第一の羽根部材が前記回動部材の回動に連動して該支軸回りに揺動せしめられる際に、該ガイド突起を該ガイド穴内で該第一の羽根部材の揺動方向へ移動させた後に該ガイド突起を該ガイド穴に係合せしめることにより、該第一の羽根部材と該第二の羽根部材が揺動方向にずれた状態で、該第一の羽根部材の揺動に連動して該第二の羽根部材が揺動せしめられるようにした羽根部材連動機構と
を、備えていることを特徴とする遊技機用可動役物。
【発明の詳細な説明】
【技術分野】
【０００１】
本発明は、パチンコ機に配設される遊技機用可動役物に関するものである。
【背景技術】
【０００２】
従来から、特許文献１等に記載されているように、装飾や演出の効果を高めること等を目的として、大型の遊技機用可動役物をパチンコ機に配設することが提案されている。
【０００３】
しかしながら、近年のパチンコ機においては、大型の表示装置が採用される傾向にあり、それに伴って、遊技機用可動役物の配設スペースが減少している。その結果、大型の遊技機用可動役物が配設し難くなっているという問題が生じている。
【０００４】
【特許文献１】特開２００３−１８０９９１号公報
【発明の開示】
【発明が解決しようとする課題】
【０００５】
ここにおいて、本発明は、上述の如き事情を背景として為されたものであって、その解決課題とするところは、配設スペースを小さくしつつ、遊技者への印象を強くすることが出来る、新規な構造の遊技機用可動役物を提供することにある。
【課題を解決するための手段】
【０００６】
以下、このような課題を解決するために為された本発明の態様を記載する。なお、以下に記載の各態様において採用される構成要素は、可能な限り任意の組み合わせで採用可能である。
【０００７】
本発明に係る遊技機用可動役物は、（ａ）回動中心軸線回りに往復回動可能に設けられた回動部材と、（ｂ）回動部材に駆動力を伝達して、回動部材を回動中心軸線回りに往復回動せしめる駆動力伝達機構と、（ｃ）回動部材の回動中心軸線と平行であって、且つ、回動部材の回動中心軸線上に中心がある円周上に設けられた複数の支軸のそれぞれにおいて支軸の軸方向に重なる状態で支軸回りで揺動可能に組み付けられている複数の第一および第二の羽根部材と、（ｄ）第一の羽根部材及び回動部材の何れか一方に設けられた係合溝と、第一の羽根部材及び回動部材の何れか他方に設けられた係合突起とを含んで構成されており、回動部材が駆動力伝達機構によって回動中心軸線回りに回動せしめられる際に、係合突起を係合溝に係合せしめることにより、回動部材の回動に連動して複数の第一の羽根部材が同じ方向に揺動せしめられるようにした羽根部材一斉駆動機構と、（ｅ）第一の羽根部材と第二の羽根部材の何れか一方に設けられたガイド突起と、第一の羽根部材と第二の羽根部材の何れか他方に設けられたガイド穴とを含んで構成されて、複数の第一の羽根部材が回動部材の回動に連動して支軸回りに揺動せしめられる際に、ガイド突起をガイド穴内で第一の羽根部材の揺動方向へ移動させた後にガイド突起をガイド穴に係合せしめることにより、第一の羽根部材と第二の羽根部材が揺動方向にずれた状態で、第一の羽根部材の揺動に連動して第二の羽根部材が揺動せしめられるようにした羽根部材連動機構とを、備えていることを、特徴とする。
【０００８】
このような本発明に従う構造とされた遊技機用可動役物においては、回動部材が駆動力伝達機構によって回動中心軸線回りに回動せしめられることにより、回動部材の回動に連動して複数の羽根部材が一斉に同じ方向へ揺動せしめられるようになっていることから、複数の羽根部材がコンパクトに纏まった状態から一斉に開いた状態へと変化することになる。
【０００９】
従って、本発明に係る遊技機用可動役物においては、複数の羽根部材をコンパクトに纏めて配設スペースを小さくしつつ、複数の羽根部材を一斉に開いて複数の羽根部材の動きを目立たせることにより遊技者に強い印象を与えることができる。
【発明を実施するための最良の形態】
【００１０】
以下、本発明を更に具体的に明らかにするために、本発明の実施形態について、図面を参照しつつ、詳細に説明する。
【００１１】
図１及び図２には、本発明の一実施形態としての遊技機用可動役物１０が示されている。この遊技機用可動役物１０は、ベース部材１２に組み付けられた回動部材１４が一軸回りに回動せしめられることにより、羽根部材としての花弁部材１６，１８が一軸回りに揺動せしめられるようになっている。
【００１２】
より詳細には、ベース部材１２は、ＰＣ等の透明な合成樹脂材料によって形成されており、図３乃至５にも示されているように、周壁２０の一方の開口が蓋板２２で覆蓋された構造とされている。また、ベース部材１２の蓋板２２の中央には、中央孔２４が形成されている。
【００１３】
さらに、ベース部材１２における蓋板２２の一方の面（周壁２０が位置するほうとは反対側の面）には、中央孔２４の同心円上において複数本（本実施形態では、６本）の支軸２６が設けられており、これら複数本の支軸２６は、周方向に等間隔に位置せしめられている。また、これら複数本の支軸２６は、それぞれ、ベース部材１２の蓋板２２に直交する方向に突出している。
【００１４】
更にまた、ベース部材１２の蓋板２２には、各支軸２６の近くにおいて、ガイド孔２８が形成されている。各ガイド孔２８は、中央孔２４の中心軸線回りで周方向一方向（図３における反時計回りとなる左回りの方向）へ行くに従って次第に中央孔２４から離れる方向へ延びるように形成されており、特に本実施形態では、各ガイド孔２８は、緩やかに円弧を描くように延びている。
【００１５】
また、各ガイド孔２８は、中央孔２４に近いほうの端（以下、内側端と称する）が、複数本の支軸２６が位置する同心円の外側に位置せしめられている一方、内側端とは反対側の端（以下、外側端と称する）が、そのガイド孔２８の近くに位置する支軸２６と中央孔２４の中心（複数本の支軸２６が位置する同心円の中心）を結ぶ直線よりも周方向他方の側に位置せしめられている。
【００１６】
さらに、ベース部材１２における蓋板２２の他方の面（周壁２０が位置するほうの面）には、中央孔２４や支軸２６，ガイド孔２８を外れた位置において、ビス穴３０が開口形成されたビス止用突起３２が設けられており、特に本実施形態では、かかるビス穴３０は蓋板２２まで貫通するように形成されている。
【００１７】
このような構造とされたベース部材１２に対して、回動部材１４が組み付けられている。この回動部材１４は、ＰＣ等の透明な合成樹脂材料によって形成されており、図６及び図７に示されているように、裏面の中央部分に中央軸部３４が一体形成された構造とされている。なお、回動部材１４の表面は、中央部分において軸方向外方に凸となる球状湾曲面とされている。また、中央軸部３４の外周面には、位置決め突起３６が設けられている。
【００１８】
さらに、回動部材１４の裏面には、複数（本実施形態では、六つ）の係合溝としてのガイド溝３８が設けられている。これら複数のガイド溝３８は、中央軸部３４が形成された位置を中心として放射状に延びるように形成されており、特に本実施形態では、各ガイド溝３８は、回動部材１４の半径方向の中間部分に形成されている。なお、本実施形態では、これら複数のガイド溝３８のうちの一つと中央軸部３４に設けられた位置決め突起３６の周方向位置が同じとされている。また、各ガイド溝３８の外周側の端には、ストッパ壁が設けられている。これにより、後述するガイドピン５６の回動部材１４の外周側への移動が制限されるようになっている。
【００１９】
このような構造とされた回動部材１４は、中央軸部３４がベース部材１２の中央孔２４に挿通されて、ベース部材１２と対向位置するように配される。即ち、中央軸部３４と複数の支軸２６は、それぞれ、同じ方向に延びており、各支軸２６が回動部材１４の回動中心軸線に平行とされている。そして、このように配された回動部材１４とベース部材１２の間には、第二の羽根部材としての奥側花弁部材１６と第一の羽根部材としての手前側花弁部材１８で構成された一組の花弁部材１６，１８が複数組（本実施形態では、６組）配されている。
【００２０】
奥側花弁部材１６は、ＰＣ等の透明な合成樹脂材料によって形成されており、図８乃至１０に示されているように、挿通孔を有する揺動軸部４０の軸直角方向外方へ延び出す連動操作部４２と、揺動軸部４０の軸直角方向外方であって、且つ、連動操作部４２とは異なる方向へ延び出す延出部４４とを備えており、特に本実施形態では、延出部４４は弧を描くように延び出している。
【００２１】
また、本実施形態の延出部４４は、延出方向へ行くに従って次第に幅広とされていると共に、揺動軸部４０の軸方向一方の側へ反っている。また、延出部４４の基端部分には、延出部４４が反っている方向とは反対側となる揺動軸部４０の軸方向他方の側へ突出するガイドピン４６が設けられている。更にまた、連動操作部４２には、揺動軸部４０回りに延びるガイド穴４８が形成されている。
【００２２】
このような構造とされた奥側花弁部材１６は、ベース部材１２に設けられた支軸２６が揺動軸部４０の挿通孔に挿通されることによって、ベース部材１２に組み付けられており、支軸２６回りに揺動可能とされている。また、このように奥側花弁部材１６が支軸２６回りで回動可能に配された状態で、ベース部材１２に設けられたガイド孔２８に対して、ガイドピン４６が挿通位置せしめられている。
【００２３】
一方、手前側花弁部材１８は、ＰＣ等の透明な合成樹脂材料によって形成されており、図１１乃至１３に示されているように、挿通孔を有する揺動軸部５０の軸直角方向外方へ延び出す連動操作部５２と、揺動軸部５０の軸直角方向外方であって、且つ、連動操作部５２とは異なる方向へ延び出す延出部５４とを備えており、特に本実施形態では、延出部５４は弧を描くように延び出している。
【００２４】
また、本実施形態の延出部５４は、延出方向へ行くに従って次第に幅広とされていると共に、揺動軸部５０の軸方向一方の側へ反っている。更にまた、連動操作部５２には、揺動軸部５０の軸方向両側に突出するガイドピン５６が設けられている。
【００２５】
このような構造とされた手前側花弁部材１８は、ベース部材１２に設けられた支軸２６が揺動軸部５０の挿通孔に挿通されることによって、ベース部材１２に組み付けられており、支軸２６回りに揺動可能とされている。また、このように手前側花弁部材１８が支軸２６回りで揺動可能に配された状態で、ガイドピン５６の軸方向一端側が回動部材１４に形成されたガイド溝３８内に位置せしめられるようになっている一方、ガイドピン５６の軸方向他端側が奥側花弁部材１６に形成されたガイド穴４８内に位置せしめられるようになっている。なお、このことから明らかなように、本実施形態では、ガイドピン５６における軸方向一端側によって、係合突起が構成されていると共に、ガイドピンにおける軸方向他端側によって、ガイド突起が構成されている。
【００２６】
また、ベース部材１２には、取付部材５８が取り付けられるようになっており、特に本実施形態では、かかる取付部材５８は、手前側構成部材６０と奥側構成部材６２によって構成されている。
【００２７】
手前側構成部材６０は、ＰＣ等の透明な合成樹脂材料によって形成されており、図１４及び図１５に示されているように、略長手平板形状を呈する本体部６４の長手方向一端側にベース取付部６６が設けられている一方、本体部６４の長手方向他端側にソレノイド取付部６８が設けられた構造とされている。
【００２８】
また、手前側構成部材６０の厚さ方向一方の面には、リブ７０が突設されている。特に本実施形態のリブ７０は、ソレノイド取付部６８及び本体部６４の幅方向両縁を、それぞれ、長手方向に沿って延びるように形成されていると共に、ベース取付部６６に形成された中央孔７２を囲むように形成されている。
【００２９】
一方、奥側構成部材６２は、ＰＣ等の透明な合成樹脂材料によって形成されており、図１６及び図１７に示されているように、略長手平板形状を呈する本体部７４の長手方向一端側にベース取付部７６が設けられている一方、本体部７４の長手方向他端側にソレノイド取付部７８が設けられた構造とされている。
【００３０】
このような構造とされた手前側構成部材６０と奥側構成部材６２は、手前側構成部材６０に設けられたリブ７０の突出端面に奥側構成部材６２を重ね合わせた状態で、手前側構成部材６０のベース取付部６６に形成されたビス穴８０と奥側構成部材６２のベース取付部７６に形成されたビス穴８２に挿通されるビス（図示せず）がベース部材１２のビス穴３０に螺着されるようになっており、それによって、手前側構成部材６０と奥側構成部材６２が相互に固定されて取付部材５８を形成すると共に、取付部材５８がベース部材１２に取り付けられるようになっている。また、この状態で、手前側構成部材６０のソレノイド取付部６８と奥側構成部材６２のソレノイド取付部７８は、各ソレノイド取付部６８，７８の取付片８４，８６に形成されたビス穴８８，９０に螺挿されるビス（図示せず）によって、相互に固定されている。
【００３１】
更にまた、上述の如く固定された手前側構成部材６０と奥側構成部材６２の対向面間には、出力伝達部材としてのスライド部材９２が配されている。このスライド部材９２は、ポリアセタール等の摺動性に優れた材料によって形成されており、図１８に示されているように、長手方向に略一定の断面形状でストレートに延びるロッド部９４の長手方向一端側に操作片９６が設けられている一方、ロッド部９４の長手方向他端側に連結片９８が設けられた構造とされている。
【００３２】
そこにおいて、操作片９６は、幅方向一方の側（ロッド部９４の長手方向に直交する方向の一方の側）に偏倚してロッド部９４に一体形成されている。また、操作片９６には、開口穴１００が形成されており、かかる開口穴１００は、ロッド部９４の延長線上に幅方向中心が位置するようにして、操作片９６を厚さ方向に貫通するように形成されている。換言すれば、開口穴１００は、操作片９６に対して、幅方向一方の側に偏倚して形成されているのである。更にまた、操作片９６に形成された開口穴１００には、幅方向他方の縁において、係合凹部としての切欠１０２が形成されている。
【００３３】
このような構造とされたスライド部材９２は、操作片９６がベース取付部６６，７６側に位置する状態で、手前側構成部材６０に形成されたリブ７０で囲まれた領域内に位置せしめられるようにして、手前側構成部材６０と奥側構成部材６２の間に配設されるようになっている。
【００３４】
また、スライド部材９２の連結片９８には、駆動源としてのソレノイド１０４のプランジャの先端が組み付けられており、上述の如くスライド部材９２が手前側構成部材６０と奥側構成部材６２の間に配設された状態で、プランジャが組み付けられた連結片９８が、手前側構成部材６０のソレノイド取付部６８と奥側構成部材６２のソレノイド取付部７８の間に位置せしめられている。そして、手前側構成部材６０のソレノイド取付部６８に形成された取付穴１０８に挿通されるビス（図示せず）によって、ソレノイド１０４が手前側構成部材６０のソレノイド取付部６８に取り付けられるようになっている。
【００３５】
更にまた、上述の如く、スライド部材９２が取付部材５８に組み付けられた状態で、スライド部材９２の操作片９６に形成された開口穴１００内には、回動部材１４の中央軸部３４に組み付けられた連結軸部材１１０が位置せしめられている。この連結軸部材１１０は、ポリアセタール等の高い摺動性を有する材料によって形成されており、図１９に示されているように、円環板状部１１２の同一中心軸線上において円環板状部１１２の厚さ方向一方の側に突出する連結筒状部１１４が設けられていると共に、円環板状部１１２の同一中心軸線上において厚さ方向他方の側に挿通軸部１１６が突設された構造とされている。
【００３６】
また、円環板状部１１２には、径方向外方に突出する係合突起１１８が形成されている。更にまた、連結筒状部１１４には、周上の一部において、突出端から軸方向中間部分に延びる切欠１２０が形成されている。なお、本実施形態では、連結筒状部１１４における切欠１２０の周方向位置は、円環板状部１１２における係合突起１１８の周方向位置に対して、僅かにずれている。
【００３７】
このような構造とされた連結軸部材１１０は、回動部材１４の中央軸部３４に対して連結筒状部１１４が外挿配置されることにより、回動部材１４に組み付けられている。また、このようにして、連結軸部材１１０が回動部材１４に組み付けられた状態で、回動部材１４の中央軸部３４に設けられた位置決め突起３６は、連結軸部材１１０の連結筒状部１１４に形成された切欠１２０内に位置せしめられている。これにより、連結筒状部１１４に対する中央軸部３４の周方向位置、即ち、連結軸部材１１０に対する回動部材１４の周方向位置が規定されて、回動部材１４と連結軸部材１１０が一体的に回動可能とされている。
【００３８】
また、連結軸部材１１０の円環板状部１１２に設けられた係合突起１１８は、図２０に示されているように、スライド部材９２の操作片９６に形成された切欠１０２内に位置せしめられて、切欠１０２に係合可能とされている。
【００３９】
更にまた、連結軸部材１１０の挿通軸部１１６は、奥側構成部材６２のベース取付部７６に形成された中央孔１２２に挿通配置されている。これにより、連結軸部材１１０の中心軸線回りの回動、延いては、回動部材１４の回動中心軸線回りの回動の安定化を図ることが可能となる。
【００４０】
また、ベース部材１２の蓋板２２と取付部材５８の手前側構成部材６０との間には、ＬＥＤ基板１２４が配設されている。このＬＥＤ基板１２４は、図２１に示されているように、ベース部材１２の周壁２０の内周面に対応した外縁を有しており、複数のＬＥＤ１２６が実装されている。なお、本実施形態では、ＬＥＤ基板１２４に実装されているＬＥＤ１２６は、フルカラーＬＥＤであり、それによって、ＬＥＤ１２６が発する光を多様なものにすることが出来るようになっている。また、ＬＥＤ基板１２４には、パチンコ機の作動全体を制御する主制御基板（図示せず）からの信号等を伝送するハーネスが接続されるコネクタ１２８が実装されている。なお、かかるコネクタ１２８に接続されるハーネスは、取付部材５８の奥側構成部材６２における本体部７４に設けられた係止爪１３０，１３０に引っ掛けられることにより、本体部７４に沿って配設されるようになっている。
【００４１】
このような構造とされた遊技機用可動役物１０は、主制御基板によりソレノイド１０４への通電が行われて、プランジャがコイルスプリング（図示せず）の付勢力に抗して引込作動せしめられると、プランジャに連結されたスライド部材９２がソレノイド１０４が位置する方向へ引っ張られるようになっている。これにより、スライド部材９２の操作片９６に形成された切欠１０２内に位置する係合突起１１８に対する切欠１０２の係合作用により、連結軸部材１１０に中心軸線回りの回動力が及ぼされて、連結軸部材１１０が、図２０に示されている周方向位置から図２２に示されている周方向位置へ駆動変位せしめられることとなる。その結果、連結軸部材１１０に連結された回動部材１４が回動中心軸線回りに回動せしめられることとなる。
【００４２】
そうすると、回動部材１４のガイド溝３８内に位置せしめられたガイドピン５６がガイド溝３８の側面に押されながら、ガイド溝３８内を回動部材１４の外周端から内周端側へ向かって移動することとなる。なお、本実施形態では、スライド部材９２が引込端までスライド変位せしめられるまでの間に、ガイドピン５６は、ガイド溝３８の途中で折り返して、回動部材１４の外周端側へ向かって移動するようになっている。即ち、本実施形態では、ガイドピン５６は、スライド部材９２が引込端までスライド変位すると、元の位置に戻るようになっているのである。そして、このようにガイドピン５６がガイド溝３８内を移動することにより、手前側花弁部材１８が支軸２６回りに回動せしめられることとなる。
【００４３】
また、このようにして、手前側花弁部材１８が支軸２６回りに回動せしめられると、奥側花弁部材１６に形成されたガイド穴４８内の一端に位置せしめられた手前側花弁部材１８のガイドピン５６（図２３参照）が、ガイド穴４８内を一端側から他端側へ移動することとなる。そして、手前側花弁部材１８のガイドピン５６が、図２４に示されているように、奥側花弁部材１６に形成されたガイド穴４８の他端まで移動すると、ガイドピン５６がガイド穴４８の内周面を押しながら、同じ方向へ更に移動するようになっている。これにより、奥側花弁部材１６が手前側花弁部材１８と一緒に支軸２６回りに回動し始めるのである。
【００４４】
また、上述の如く奥側花弁部材１６が手前側花弁部材１８と一緒になって支軸２６回りに回動せしめられる際に、奥側花弁部材１６に設けられたガイドピン４６がベース部材１２に形成されたガイド孔２８内を内側端から外側端へ移動するようになっている。そして、奥側花弁部材１６に設けられたガイドピン４６が、図２５に示されているように、ガイド孔２８の外側端の内周面に当接することにより、奥側花弁部材１６、延いては、手前側花弁部材１８の揺動端が規定されることとなる。
【００４５】
このようにして、手前側花弁部材１８と奥側花弁部材１６が支軸２６回りの一方向に揺動することにより、図２６に示されているように、全ての花弁部材が一斉に開いた状態となる。
【００４６】
一方、ソレノイド１０４への通電が中止されて、プランジャがコイルスプリングの付勢力によって初期位置に戻ると、プランジャに連結されたスライド部材９２も初期位置へ戻ることとなる。その際、スライド部材９２に形成された切欠１０２の連結軸部材１１０に設けられた係合突起１１８への係合作用により、連結軸部材１１０に逆方向への回動力が及ぼされることとなる。その結果、図２０に示されているように、連結軸部材１１０が初期位置に戻ることになる。即ち、連結軸部材１１０に連結された回動部材１４も、逆方向に回動せしめられて、初期位置に戻ることになる。
【００４７】
また、このようにスライド部材９２が初期位置に戻る際に、手前側花弁部材１８に設けられたガイドピン５６は、回動部材１４が回動中心軸線回りの一方向（全ての花弁部材１６，１８を開かせる方向）に回動する場合と同様に、ガイド溝３８に押されながら、ガイド溝３８内を回動部材１４の外周側端から内周側端へ向かって移動するようになっており、特に本実施形態では、スライド部材９２が初期位置までスライド変位せしめられるまでの間に、ガイドピン５６は、ガイド溝３８の途中で折り返して、回動部材１４の外周側端へ移動するようになっている。そして、上述の如く、ガイドピン５６がガイド溝３８内を移動することにより、手前側花弁部材１８が支軸２６回りに逆方向へ回動せしめられることとなる。
【００４８】
また、このようにして、手前側花弁部材１８が支軸２６回りに逆方向へ回動せしめられると、手前側花弁部材１８に設けられたガイドピン５６が、奥側花弁部材１６に形成されたガイド穴４８内を他端側から一端側へ移動することとなる。そして、手前側花弁部材１８のガイドピン５６が、図２７に示されているように、奥側花弁部材１６に形成されたガイド穴４８の一端まで移動すると、ガイドピン５６がガイド穴４８の内周面を押しながら、同じ方向へ更に移動するようになっている。これにより、奥側花弁部材１６が手前側花弁部材１８と重なった状態で一緒に支軸２６回りに回動し始めることとなる。
【００４９】
また、上述の如く、奥側花弁部材１６が手前側花弁部材１８と一緒になって支軸２６回りに回動せしめられる際に、奥側花弁部材１６に設けられたガイドピンがベース部材１２に形成されたガイド孔２８内を外側端から内側端へ移動する。そして、奥側花弁部材１６に設けられたガイドピンが、図２３に示されているように、ガイド孔２８の内側端の内周面に当接することにより、奥側花弁部材１６と手前側花弁部材１８が初期位置に戻ることとなる。
【００５０】
なお、上述の説明から明らかなように、本実施形態では、ソレノイド１０４とスライド部材９２と連結軸部材１１０によって、駆動力伝達機構が構成されている。また、本実施形態では、手前側花弁部材１８のガイドピン５６の軸方向一端側と回動部材１４のガイド溝３８を含んで、羽根部材一斉駆動機構が構成されている。更にまた、本実施形態では、手前側花弁部材１８のガイドピン５６の軸方向他端側と奥側花弁部材１６のガイド穴４８を含んで、羽根部材連動機構が構成されている。
【００５１】
上述の如き構造とされた遊技機用可動役物１０は、例えば、図２８に示されているように、図示しない遊技盤に設けられた表示装置１３２の表示画面を取り囲むように配設されたセンター役物１３４に対して、上下方向に相対変位可能な状態で組み付けられるようにすることが出来る。そして、遊技機用可動役物１０は、表示装置１３２の表示画面で行われている演出表示にあわせて、表示装置１３２の表示画面の前方に落下してくると共に、表示装置１３２の表示画面の前方で全ての花弁部材１６，１８を開かせるようにすることが出来る。なお、遊技機用可動役物１０のセンター役物１３４への組付方法及び遊技機用可動役物１０の駆動方法としては、例えば、特開２００６−１９２１５４号公報に記載の方法等を採用することができる。また、図２８においては、手前側構成部材６０の図示は省略してある。
【００５２】
上述の如き構造とされた遊技機用可動役物１０は、全ての花弁部材１６，１８を閉じた状態での全体サイズをコンパクトにすることが出来る一方で、全ての花弁部材１６，１８を一斉に開かせて、そのダイナミックな動きを遊技者に見せることが出来るようになっていることから、配設スペースを小さくしつつ、遊技者に強い印象を与えることが出来る。
【００５３】
それ故、例えば、通常時において遊技機用可動役物１０をセンター役物１３４内に隠れた状態で配設しておき、表示装置１３２の表示画面での演出表示にあわせて、表示装置１３２の表示画面の前方に出現させた後に、全ての花弁部材１６，１８を開かせる、更には、ＬＥＤ１２６を様々な色で発行させる等といった演出を有利に行うことが可能となる。
【００５４】
また、駆動源としてソレノイド１０４を採用していることから、回動部材１４を駆動せしめる電気モータをベース部材１２に設ける必要がなくなる。その結果、ベース部材１２の大型化を有利に回避することが可能となる。
【００５５】
特に本実施形態では、ＬＥＤ１２６の発する光を利用した演出が出来るようになっていることから、かかるＬＥＤ１２６が発する光によって電気モータの影が映ってしまうことを有利に回避することが可能となり、ＬＥＤ１２６の発する光を利用した演出を有利に実現することが可能となる。
【００５６】
以上、本発明の一実施形態について詳述してきたが、これはあくまでも例示であって、本発明は、かかる実施形態における具体的な記載によって、何等、限定的に解釈されるものではない。
【００５７】
例えば、遊技機用可動役物１０は、図２９に示されているように、一軸回りに揺動可能な状態でセンター役物１３４に組み付けるようにしても良い。そして、この場合も、前記実施形態と同様に、表示装置１３２の表示画面で行われる演出表示にあわせて、表示装置１３２の表示画面の前方に位置するまで回動せしめられるようにすると共に、表示装置１３２の表示画面の前方で全ての花弁部材１６，１８を開かせるようにすることが出来る。なお、遊技機用可動役物１０を一軸回りに回動せしめる方法としては、例えば、取付部材５８の本体部を電気モータの回転駆動力で駆動せしめる方法等が採用され得る。また、理解を容易にするために、前記実施形態と同様な構造とされた部材及び部位については、図中に、前記実施形態と同一の符号を付してある。更にまた、図２９において、手前側構成部材６０の図示は省略してある。
【００５８】
また、ＬＥＤ基板１２４は必ずしも必要ではない。また、駆動源として電気モータを採用することも可能である。
【００５９】
更にまた、前記実施形態において、手前側花弁部材１８及び奥側花弁部材１６の何れか一方のみを支軸２６回りに揺動可能に配設するようにしても良い。
【００６０】
また、本発明の遊技機用可動役物は、遊技領域以外の領域、例えば、中枠等に配設されていても良い。
【００６１】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【００６２】
また、前記実施形態の記載に基づいて、本発明は、以下に記載の技術思想を含む。即ち、課題を解決するための手段の欄に記載された遊技機用可動役物において、複数の支軸のそれぞれにおいて支軸の軸方向に重なる状態で支軸回りに揺動可能に組み付けられた第一の羽根部材と第二の羽根部材を備えていると共に、前記係合溝と前記係合突起の何れか一方が第一の羽根部材に設けられており、更に、第一の羽根部材と第二の羽根部材の何れか一方に設けられたガイド突起と、第一の羽根部材と第二の羽根部材の何れか他方に設けられたガイド穴とを含んで構成されて、第一の羽根部材が回動部材の回動に連動して支軸回りに揺動せしめられる際に、ガイド突起をガイド穴内で第一の羽根部材の揺動方向へ移動させた後にガイド突起をガイド穴に係合せしめることにより、第一の羽根部材と第二の羽根部材が揺動方向にずれた状態で、第一の羽根部材の揺動に連動して第二の羽根部材が揺動せしめられるようにした羽根部材連動機構とを備えていることを、特徴とする。
【００６３】
このような技術思想に係る遊技機用可動役物においては、第一の羽根部材と第二の羽根部材を揺動方向にずれた状態で連れ回りさせることが可能となるから、羽根部材の動きを一層目立たせることが可能となり、遊技者の興味を惹きつけて、遊技者に強い印象を与えることが可能となる。
【図面の簡単な説明】
【００６４】
【図１】本発明の一実施形態としての遊技機用可動役物を示す正面図。
【図２】同遊技機用可動役物の側面図。
【図３】図１の遊技機用可動役物に採用されているベース部材を示す正面図。
【図４】同ベース部材の側面図。
【図５】同ベース部材の裏側を示す斜視図。
【図６】図１の遊技機用可動役物に採用されている回動部材を示す斜視図。
【図７】同回動部材の背面図。
【図８】図１の遊技機用可動役物に採用されている奥側花弁部材を示す正面図。
【図９】同奥側花弁部材の側面図。
【図１０】同奥側花弁部材の背面図。
【図１１】図１の遊技機用可動役物に採用されている手前側花弁部材を示す正面図。
【図１２】同手前側花弁部材の側面図。
【図１３】同手前側花弁部材の背面図。
【図１４】図１の遊技機用可動役物に採用されている手前側構成部材の正面側を示す斜視図。
【図１５】同手前側構成部材の背面側を示す斜視図。
【図１６】図１の遊技機用可動役物に採用されている奥側構成部材の正面側を示す斜視図。
【図１７】同奥側構成部材の背面側を示す斜視図。
【図１８】図１の遊技機用可動役物に採用されているスライド部材を示す斜視図。
【図１９】図１の遊技機用可動役物に採用されている連動軸部材を示す斜視図。
【図２０】操作片と係合突起の初期状態での位置関係を示す平面図。
【図２１】図１の遊技機用可動役物に採用されているＬＥＤ基板を示す平面図。
【図２２】スライド部材が引込端に位置する状態での操作片と係合突起の位置関係を示す平面図。
【図２３】手前側花弁部材のガイドピンが奥側花弁部材のガイド穴の一端に位置する状態での手前側花弁部材と奥側花弁部材とベース部材の位置関係を説明するための平面図。
【図２４】手前側花弁部材のガイドピンが奥側花弁部材のガイド穴の他端に位置する状態での手前側花弁部材と奥側花弁部材とベース部材の位置関係を説明するための平面図。
【図２５】奥側花弁部材のガイドピンがベース部材のガイド孔２８の外側端の内周面に当接した状態での手前側花弁部材と奥側花弁部材とベース部材の位置関係を説明するための平面図。
【図２６】図１の遊技機用可動役物において全ての花弁部材が開いた状態を示す正面図。
【図２７】手前側花弁部材のガイドピンが、奥側花弁部材に形成されたガイド穴の一端に位置せしめられた状態での手前側花弁部材と奥側花弁部材とベース部材との位置関係を説明するための平面図。
【図２８】図１の遊技機用可動役物の使用態様の一つを説明するための正面図。
【図２９】図１の遊技機用可動役物の使用態様の他の態様を説明するための正面図。
【符号の説明】
【００６５】
１０：遊技機用可動役物，１４：回動部材，１６：奥側花弁部材，１８：手前側花弁部材，９２：スライド部材，１０４：ソレノイド，１１０：連結軸部材
【図１】
0005146737.tif 000002
【図２】
0005146737.tif 000003
【図３】
0005146737.tif 000004
【図４】
0005146737.tif 000005
【図５】
0005146737.tif 000006
【図６】
0005146737.tif 000007
【図７】
0005146737.tif 000008
【図８】
0005146737.tif 000009
【図９】
0005146737.tif 000010
【図１０】
0005146737.tif 000011
【図１１】
0005146737.tif 000012
【図１２】
0005146737.tif 000013
【図１３】
0005146737.tif 000014
【図１４】
0005146737.tif 000015
【図１５】
0005146737.tif 000016
【図１６】
0005146737.tif 000017
【図１７】
0005146737.tif 000018
【図１８】
0005146737.tif 000019
【図１９】
0005146737.tif 000020
【図２０】
0005146737.tif 000021
【図２１】
0005146737.tif 000022
【図２２】
0005146737.tif 000023
【図２３】
0005146737.tif 000024
【図２４】
0005146737.tif 000025
【図２５】
0005146737.tif 000026
【図２６】
0005146737.tif 000027
【図２７】
0005146737.tif 000028
【図２８】
0005146737.tif 000029
【図２９】
0005146737.tif 000030